(57)【特許請求の範囲】
【請求項１】
折板を係止する係止部を上端部に有する折板支持具であって、
下地材上に固定する支持部材の上部に、長孔、および該長孔を貫通しかつ長孔の長さ方向にスライドする軸部材を介して、上記折板の長さ方向に摺動可能な摺動部材を保持し、
該摺動部材の上端部を前記係止部に設定するとともに、
上記摺動部材に、横方向に張り出す張り出し部を形成し、
上記支持部材における張り出し部に対応する位置には、張り出し部の上面側を押さえる押え部を形成した
折板支持具。
【請求項２】
前記支持部材と摺動部材との接触面間に、摺動時の摩擦抵抗を調節する介装部材を介在させた
請求項１に記載の折板支持具。
【発明の詳細な説明】
【０００１】
【発明の属する技術分野】
この発明は、建築物の技術分野に属し、より詳しくは、金属製の折板を支持して屋根を形成するための折板支持具に関する。
【０００２】
【従来の技術】
折板支持具は、Ｈ鋼やＣ形鋼、既設の屋根、下葺折板屋根等の下地材の上に固定し、上端部に有した係止部に対して長尺の折板の馳締め部を固定して使用する。
【０００３】
しかし折板は金属製であるので、温度の上昇により膨脹し、下降により収縮する。つまり伸び縮みをするわけであり、しかも長尺であるので、大型の屋根であればあるほど程度は甚だしく、突然大きな音がする音鳴りの原因となっていた。
【０００４】
このため、例えば特開平９−３２８８６９号に開示されているような金属屋根の支持構造の発明がなされている。この発明は、下葺屋根の馳部に固定する横方向２分割のサドルを設け、このサドルの上部に逆Ｔ字形溝を形成するとともに、この逆Ｔ字形溝に折板を固定する屋根支持金具を摺動自在に保持したものである。すなわち、屋根支持金具に固定した折板が伸び縮みすればその折板に連れて屋根支持金具がサドルの逆Ｔ字形溝内を摺動し、折板の伸縮による歪みを吸収するのである。これで所期の目的が達成できる。
【０００５】
しかしこの発明では、薄い金属板を折り曲げて形成した屋根支持金具は、サドル内の逆Ｔ字形溝内に摺動可能に収納されているだけであり、相互を積極的に結び付ける構成は存在しない。つまり、負圧が掛かったときにその力に対抗するのは、屋根支持金具の下端で両側に延びた２枚の片だけであるので、耐久性に不安点がある。すなわち、屋根支持金具が変形して逆Ｔ字形溝から外れないまでも、屋根としての密閉性を維持できないまでに変形してしまうことが考えられる。
【０００６】
また、摺動する屋根支持金具の前後両端には、屋根支持金具が摺動時にサドルから脱落してしまわないようにする折曲片を形成している。このため、屋根支持金具のサドルへの保持は、左右２分割のサドルを分割して行なわなければなない。つまり、下葺屋根の馳部に対する固定と同時に行なわなければならず、角ハゼ型の吊子を用いる屋根の場合のように折板を固定するときに吊子をサドルに保持させる必要があるものでは、２つの作業を同時に進行させなければならず、面倒で作業性がよくなかった。
【０００７】
【解決すべき課題及びそのための手段】
そこでこの発明は、耐久性が高く、施工に際しての作業も容易であるような折板支持具の提供を主たる課題とする。
【０００８】
そのための手段は、折板を係止する係止部を上端部に有する折板支持具であって、下地材上に固定する支持部材の上部に、長孔、および該長孔を貫通しかつ長孔の長さ方向にスライドする軸部材を介して、上記折板の長さ方向に摺動可能な摺動部材を保持し、該摺動部材の上端部を前記係止部に設定するとともに、上記摺動部材に、横方向に張り出す張り出し部を形成し、上記支持部材における張り出し部に対応する位置には、張り出し部の上面側を押さえる押え部を形成した
折板支持具であることを特徴とする。
【０００９】
なお、前記支持部材と摺動部材との接触面間に、摺動時の摩擦抵抗を調節する介装部材を介在させるもよい。
【００１０】
【発明の効果】
すなわち、上述の構成によれば、この折板支持具で折板を固定するには、まず支持部材を下地材の上に固定し、次いであらかじめ保持した、または折板係止時に保持する摺動部材の上端部の係止部に折板を係止する。
【００１１】
支持部材と摺動部材との間には、長孔および軸部材を介在させているので、係止した折板が熱により伸縮すると、摺動部材は、軸部材が長孔の長さ方向にスライドする範囲内において折板の長さ方向に摺動して、歪みを吸収する。
【００１２】
このように摺動部材の摺動範囲は長孔と軸部材とで決まるので、従来のように屋根支持金具がサドルから抜けるのを阻止する折曲片を屋根支持金具に形成する必要がない。このため、摺動部材を支持部材に対して保持させるときに邪魔はなく、例えば前後方向から差し込むようにすれば保持でき、例えば角ハゼ型の吊子を用いる屋根でも作業が順序よく容易に行なえる。
【００１３】
しかも、負圧に対しては、長孔と、これに貫通している軸部材とで長孔が裂けるまで対抗するので、従来に比べより高い耐久性を得ることができる。
【００１４】
また、摺動部材に対して、横方向に張り出す張り出し部を形成し、支持部材には張り出し部の上面側を押さえる押え部を形成しているので、長孔と軸部材に係る負荷を分散し、さらに一そう高い耐久性を得ることができる。
【００１５】
さらに請求項２のように、支持部材と摺動部材との接触面間に摺動時の摩擦抵抗を調節する介装部材を介在させると、作業性を向上したり、確実な効果を期待したりすることができる。つまり、わずかな力では摺動しないように摩擦抵抗を付与する介装部材を介在させると、折板を係止する時に摺動部材が不測に一方に偏ってしまうことを阻止できる。また、負荷に応じた滑らかな摺動を可能にする介装部材を介在させると、折板の伸縮に柔軟に対応できるようにすることができる。
【００１６】
【実施例】
この発明の一実施例を以下図面に基づいて詳述する。
図１は、折板支持具１の斜視図であり、この折板支持具１は図２に示したように下地材２の上に固定してから上端部の係止部３ａに折板４の左右両側縁の馳締部４ａ，４ｂを係止して屋根を形成するものである。そして、上記折板４が熱により長さ方向に膨脹したり収縮したりしたときにそれにより生じる歪みを吸収できるようにすべく、上記係止部３ａを折板４の長さ方向に摺動可能にしている。
【００１７】
図３は折板支持具１の分解斜視図であり、この図に示したように、左右２分割の支持部材５と、この支持部材の上部に摺動可能に保持する摺動部材６とからなっている。支持部材５は、所定幅の帯状の金属板を折曲して形成したもので、下地材２の上に固定する。その形状は、水平な接地部７の両端または一端に、垂直に立ち上がる垂直部８を形成し、この垂直部８より上に、上記摺動部材６を保持する保持部９を形成している。垂直部８には、ボルト１０ナット１１やリベット（図示せず）による連結のための角孔８ａを形成している。なお、接地部７の中間に三角形状に隆起させた部分は、折板４の立上がり部４ｃの下部を受ける受け部１２である。
【００１８】
上記保持部９は、下から、横方向へコ字状に飛び出す幅広の押え部９ａと、幅狭の規制部９ｂと、この規制部９ｂの上端から外へＬ字状に折曲した延出部９ｃとからなり、規制部９ｂには、摺動部材６を保持するための軸部材をとしての段付きボルト１３を挿通する角孔９ｄを形成している。
【００１９】
上記摺動部材６は、前記係止部３ａを上端部に有する吊子３と、この吊子３の係止部３ａを除く部分を覆う補強金具１４とで一体的に構成している。この摺動部材６は支持部材５上を摺動するため、支持部材５に比べて前後方向に長く形成している。また、図では角ハゼ型に形成したものを示したが、丸ハゼ型であるもよい。
【００２０】
吊子３における係止部３ａより下は、上記規制部９ｂと略対応する長さまで延設した後下端を左右両側に張り出す張り出し部３ｂ，３ｂを有する形に２枚重ねで折曲している。そして垂直な部分における上記角孔９ｄに対応する部位には、前後方向に長い長孔３ｃを形成している。
【００２１】
また補強金具１４は、吊子３の強度を補填し、また摺動を円滑に行なわせるためのもので、その下部を、吊子３の下部の外側面を覆う形に折曲して張り出し部１４ａを形成するとともに、左右両側の上端を外側に向けて折曲し、上記延出部９ｃに下から当てがわれ折板４を受ける折板受け部１４ｂを形成している。この折板受け部１４ｂの先端縁は下に折曲して、上記延出部９ｃの先端縁との関係で左右方向にぶれないようにしている。そして上記吊子３の長孔３ｃに対応する位置に同大の長孔１４ｃｃを形成している。なお、図中１４ｄは、吊子３が補強金具１４から外れないようにするための折曲片である。前後両端に形成している。
【００２２】
支持部材５に対して摺動部材６を保持するには、前記軸部材としての段付きボルト１３を角孔９ｄ、長孔１４ｃ，３ｃ，３ｃ，１４ｃ、角孔９ｄと順に挿通し、根角部分１３ａを角孔９ｄに回り止めした状態にしてナット１５を締めるが、その際に介装するワッシャ１６の穴の径を段部分１３ｂのそれよりも小さくするとともに、緊締したときに摺動部材６の摺動が阻害されないように段部分１３ｂの長さを設定している。
【００２３】
このように構成した折板支持具１では、使用に際しては、まず支持部材５を下地材２の上に固定する。この一実施例においては左右２分割型であるので、垂直部８を左右両端に有するニ山タイプの場合には、図示したように下地材２に固定するときにボルト１０ナット１１で連結すればよく、垂直部８を一端のみに有する一山タイプの場合には現場に搬入する前の段階でリベットで一体に連結しておけばよい。
【００２４】
次いで、折板４を固定するが、図示したような角ハゼ型の場合には、折板４の馳締部４ａ，４ｂを係止する時に、摺動部材６を支持部材５の保持部９に保持する。丸ハゼ型の場合には、あらかじめ保持しておく。この保持に際しては、支持部材５の保持部９に対して前後方向から行えばよい。そして摺動部材６の上端部の係止部３ａに対して折板４の馳締部４ａ，４ｂを係止する。
【００２５】
支持部材５と摺動部材６との間には、長孔３ｃ，１４ｃおよび段付きボルト１３を介在させているので、係止した折板４が熱により伸縮すると、図４に示したように摺動部材６は、段付きボルト１３が長孔３ｃ，１４ｃの長さ方向にスライドする範囲内において折板４の長さ方向に摺動し、歪みを吸収する。
【００２６】
このように摺動部材６の摺動範囲は長孔３ｃ，１４ｃと段付きボルト１３とで決まるので、摺動部材６がその摺動により支持部材５から抜けるのを阻止する構造を設ける必要がない。このため、摺動部材６を支持部材５に対して保持させるときに邪魔はなく、例えば前後方向から差し込むようにすれば保持でき、角ハゼ型の吊子３を用いる屋根でも作業が順序よく容易に行なえる。
【００２７】
しかも、負圧に対しては、長孔３ｃ，１４ｃと、これに貫通している段付きボルト１３とで長孔３ｃ，１４ｃが裂けるまで対抗するので、従来に比べより高い耐久性を得ることができる。
【００２８】
また、摺動部材６に横方向に張り出す張り出し部１４ａを形成し、支持部材５には張り出し部１４ａの上面側を押さえる押え部９ａを形成しているので、長孔３ｃ，１４ｃと段付きボルト１３に係る負荷を分散し、さらに一そう高い耐久性を得ることができる。
【００２９】
以下、他の実施例を説明する。
図５、図６の折板支持具１は、摺動部材６に形成する張り出し部３ｂ，１４ａを三角形状に形成するとともに、長孔３ｃ，１４ｃはこの張り出し部３ｂ，１４ａの下側に形成した例を示している。先の例と同様の作用効果が得られる。
【００３０】
図７、図８の折板支持具１は、摺動部材６が吊子３のみで構成された例を示している。またこの折板支持具１は、屋根の勾配方向に傾動可能にしている。
【００３１】
すなわち、支持部材５を左右２分割型の支持フレーム１７と、これに取付ける補助金具１８とで構成するとともに、支持フレーム１７の端部に垂直部８を形成するとともに、垂直部８の上部にはコ字形の保持部９を形成し、この保持部９に略筒状の上記補助金具１８を保持部９内で傾動可能に保持している。また保持部９の上方には折板４を受ける折板受け部９ｅを外側へＬ字形に折曲して形成している。上記保持部９の下面と折板受け部９ｅは、上へ凸に湾曲している。
【００３２】
この補助金具１８は、摺動する摺動部材６としての吊子３と同じく前後方向に長く形成し、その断面は、Ｕ字の両上端縁を内側に水平に若干延ばした後真っ直ぐ下に折曲した形であって、垂下した両下端縁が、吊子３の張り出し部３ａ，３ａの上面を押さえる押え部１８ａ，１８ａとなる。補助金具１８には、図９に示したように角孔１８ｂのみを形成し、吊子３には長孔３ｃを形成している。
【００３３】
図１０、図１１の折板支持具１は、摺動部材６が２段階で摺動するように構成した例を示している。すなわち、摺動部材６は、吊子３と補強金具１４とからなり、吊子３は先の例と同様に下端に左右両側に張り出す張り出し部３ｂ，３ｂを形成し、補強金具１４は、先の補助金具１８と同様に、断面がＵ字の両上端縁を内側に向けて水平に若干延ばしたのち真っ直ぐ下に折曲した形に形成する。
【００３４】
そして、補強金具１４には、図１２に示したように長さ方向の中間部の下部に１つ、また長さ方向の両端部の上部に２つ、長孔を形成している。前者が第１長孔１４ｅで、後者が第２長孔１４ｆ，１４ｆである。吊子３には、補強金具１４の上記第１長孔１４ｅに対応する位置に同大の長孔３ｃを形成し、第２長孔１４ｆ，１４ｆの長さ方向の中間に対応する位置には貫通孔３ｄ，３ｄを形成している。
【００３５】
なお、吊子３の下端には左右両側に張り出す張り出し部３ｂ，３ｂを形成しており、補強金具１４の両下端縁が押え部１４ｇ，１４ｇとなる。
【００３６】
また、支持部材５は、先の各例と同様に左右２分割型に形成するもよいが、ここでは、正面視略Ｍ字状に形成した一体型のものを使用し、左右方向の中間部の凹んだ保持部９に摺動部材６を保持するようにしている。そして、上記補強金具１４の第１長孔１４ｅに対応する位置に角孔９ｄを形成している。
【００３７】
軸部材としての段付きボルト１３は、補強金具１４の第１長孔１４ｅに対応する位置と第２長孔１４ｆ，１４ｆに対応する位置との３か所に挿通する。
【００３８】
このように構成した折板支持具１では、図１３に示したように、補強金具１４および吊子３は補強金具１４の第１長孔１４ｅを利用して摺動可能であるとともに、吊子３は補強金具１４の第２長孔１４ｆ，１４ｆを利用して摺動可能である。
【００３９】
図中１９は支持板で、固定用のボルト２０の頭部を隠蔽するとともに、支持部材５上で摺動する補強部材１４の安定性を保持している。
【００４０】
図１４、図１５の折板支持具１は、これまでのように摺動部材を左右に挟むように保持するのとは異なり、乗せるように保持した例を示している。すなわち、支持部材５は、左右２分割型ではなく、また略Ｍ字状でもなく、正面視右側に凹んだ段部を有した略台形状に形成し、その段部を保持部９に設定している。この保持部９の左側面には、内側へ直角三角形状に凹む凹部９ｆを形成し、この凹部９ｆの上面９ｇを押え部に設定している。また、保持部９の底面には軸部材としての段付きボルト１３を下から挿通するための角孔９ｄを形成している。
【００４１】
摺動部材６は吊子３のみで構成し、係止部３ａの下方に、上記凹部９ｆに対応する形に突出する張り出し部３ｂを形成し、その下には、保持部９の底面に上から重合するスライド面部３ｅを形成している。そしてこのスライド面部３ｅには、長さ方向に長い長孔３ｃを形成している。
【００４２】
図中２１は、吊子３のスライド面部３ｅを上から押さえる押え金具で、吊子３下部の内側面に対応する形に形成し、中央には丸い貫通孔２１ａを形成している。この押え金具は、吊子３の補強と摺動の円滑性のため、図示したように支持部材５の幅よりも広く設定しておくとよい。
【００４３】
図１６の折板支持具１は、図１４、図１５に示した折板支持具１と同様に摺動部材６を支持部材５の上に乗せた構造であるとともに、安定性をよくした例を示している。
【００４４】
すなわち、支持部材５は支持フレーム１７と補助金具１８とで構成している。支持フレーム１７は右上部に凹んだ段部、つまり保持部９を有する略台形に形成し、この保持部９に、摺動部材６としての吊子３と同等な長さの補助金具１８を取付ける。補助金具１８は、正面視略Ｌ字状で、水平な部分は端部で折り返して隙間を有する二重構造に形成している。また、垂直な部分で支持フレーム１７に対向する部位には、支持フレーム１７を幅方向に挟持する挟持片１８ｇ，１８ｇを切起して形成している。これにより支持フレーム１７と補助金具１８との一体性が高まる。
【００４５】
摺動部材６は、吊子３のみで構成し、係止部３ａより下側を、上記補助金具１８の内側に保持可能な正面視Ｌ字状に形成している。つまり、Ｌ字形の水平な部分が張り出し部３ｂで、補助金具１８における水平な部分の折り返した部分が押え部１８ａである。
【００４６】
支持フレーム１７の保持部９の下面には、軸部材としての段付きボルト１３を挿通するための角孔９ｄを形成し、補助金具１８の上記角孔９ｄ対応位置には、丸い貫通孔１８ｄを形成している。補助金具１８ではまた、垂直な片の長さ方向両側部の上部に、長さ方向に長い長孔１８ｅ，１８ｅを形成し、吊子３には、これら長孔１８ｅ，１８ｅの長さ方向の中間に対応する位置に貫通孔３ｄを、また上記角孔９ｄおよび貫通孔１８ｄに対応する位置に、長さ方向に長い長孔３ｃを形成している。
【００４７】
補助金具１８の内側、すなわち摺動部材６としての吊子３と支持部材５との接触面間には、金属板や樹脂、ゴム等適宜の材料からなるを介装部材２２を介装して、摺動時の摩擦抵抗を調節するようにしている。これにより、作業性を向上したり、確実な効果を期待したりすることができる。つまり、わずかな力では摺動しないように摩擦抵抗を付与する介装部材２２を介在させると、折板４を係止する時に摺動部材が不測に一方に偏ってしまうことを阻止できる。また、負荷に応じた滑らかな摺動を可能にする介装部材２２を介在させると、折板４の伸縮に滞りなく柔軟に対応できるようにすることができる。
【００４８】
図１７の折板支持具４は、図１６に示した折板支持具１の補助金具１８を、Ｌ字状ではなく摺動部材６としての吊子３の水平な部分、すなわち張り出し部３ｂのみを保持する２つ折にした形に形成し、軽量化および構造の簡素化を図った例を示している。
【００４９】
支持部材５の一部をなす補助金具１８には、支持フレーム１７の保持部９を幅方向に挟持する平行な２本のリブ１８ｃ，１８ｃを形成し、支持フレーム１７との一体性の向上を図っている。また、長さ方向の中間部には、上下方向に貫通する貫通孔１８ｄを形成し、両側部には、長さ方向に長い長孔１８ｅ，１８ｅを形成している。
【００５０】
吊子３には、上記貫通孔１８ｄに対応する位置に長孔３ｃを形成し、上記各長孔１８ｅ，１８ｅの長さ方向の中間部に対応する位置に貫通孔３ｄを形成して、軸部材としての段付きボルト１３を上記３か所に、下から挿通している。この場合も、先の例と同様に、補助金具１８の内側面に介装部材２２を取付けている。
【００５１】
図１８の折板支持具１は、摺動部材６の摺動がより安定よく行えるようにした例を示している。
【００５２】
すなわち、この折板支持具１は、支持部材５を、支持フレーム１７、および摺動部材６と略同じ長さに形成した補助金具１８で構成している。
【００５３】
支持フレーム１７は、帯状の金属板を折曲して段部、すなわち保持部９のある略台形状に形成したものである。また補助金具１８は、上記保持部９に載置可能な形状に形成され、上端には、固定する折板４を受ける折板受け部１８ｆを形成して、全体として正面視略「５」字状に形成している。そして、高さ方向の中間部より下側には、支持フレーム１７の幅と同じ寸法を隔てた平行な２本のリブ１８ｃ，１８ｃを外へ凸に形成している。これら２本のリブ１８ｃ，１８ｃが支持フレーム１７を幅方向で挟持するようにして、補助金具１８が支持フレーム１７の上で一体となって安定するようにしている。
【００５４】
この補助金具１８の上部の垂直な面には、角孔１８ｂを形成し、保持部９の対向位置に形成した角孔９ｄからの段付きボルト１３を挿通できるようにしている。また、保持部９に載置する下部の包囲部１８ｄには、樹脂やゴムからなる介装部材２２を保持している。
【００５５】
また、補助金具１８を支持フレーム１７上で安定させるべく逆Ｌ字状の固定板１７ａを用いて、上記包囲部１８ｄを上面から押えつけている。固定板１７ａの固定状態は、支持フレーム１７にかしめ止めしたボルト２３とナット２４とで行なう。
【００５６】
そして、摺動部材６としての吊子３は、係止部３ａより下側を下に延設した後、上記包囲部１８ｄの高さ方向の中間部において外側にＬ字状に曲げて張り出し部３ｂを形成している。この場合には、上記張り出し部３ａの上面側に位置する介装部材２２と補助金具１８の一部２２ａ，１８ａが押え部となる。なお、この張り出し部３ａは、その先端をさらにＴ字状に折曲して強度の向上と横方向でのぶれを阻止するようにしている。
【００５７】
また、摺動のための長孔３ｃは、上記段付きボルト１３を挿通する部位に形成している。
【図面の簡単な説明】
【図１】  折板支持具の斜視図。
【図２】  図１の使用状態の正面図。
【図３】  図１の分解斜視図。
【図４】  作用状態の側面図。
【図５】  折板支持具の斜視図。
【図６】  図５の使用状態の正面図。
【図７】  折板支持具の斜視図。
【図８】  図７の使用状態の正面図。
【図９】  要部の分解斜視図。
【図１０】  折板支持具の斜視図。
【図１１】  図１０の使用状態の正面図。
【図１２】  要部の分解斜視図。
【図１３】  作用状態の断面図。
【図１４】  折板支持具の斜視図。
【図１５】  図１４の使用状態の正面図。
【図１６】  折板支持具の斜視図。
【図１７】  折板支持具の斜視図。
【図１８】  折板支持具の斜視図。
【符号の説明】
１…折板支持具
２…下地材
３…吊子
３ａ…係止部
３ｂ…張り出し部
３ｃ…長孔
４…折板
５…支持部材
６…摺動部材
９ｇ…押え部
１３…段付きボルト
１４…補強金具
１４ａ…張り出し部
１４ｃ…長孔
１４ｅ…第１長孔
１４ｆ…第２長孔
１４ｇ…押え部
１７…支持フレーム
１７ａ…固定板
１８…補助金具
１８ａ…押え部
１８ｅ…長孔
２２…介装部材
【図１】
0003698566.tif 000002
【図２】
0003698566.tif 000003
【図３】
0003698566.tif 000004
【図４】
0003698566.tif 000005
【図５】
0003698566.tif 000006
【図６】
0003698566.tif 000007
【図７】
0003698566.tif 000008
【図８】
0003698566.tif 000009
【図９】
0003698566.tif 000010
【図１０】
0003698566.tif 000011
【図１１】
0003698566.tif 000012
【図１２】
0003698566.tif 000013
【図１３】
0003698566.tif 000014
【図１４】
0003698566.tif 000015
【図１５】
0003698566.tif 000016
【図１６】
0003698566.tif 000017
【図１７】
0003698566.tif 000018
【図１８】
0003698566.tif 000019